(57)【要約】【課題】開閉を容易且つスムーズに行うことが出来るコネクタカバーなどのカバー部材を備える携帯端末装置を提供する。【解決手段】ケースの一表面を被覆して装着されるバッテリーリッドと、ケースの側面に着脱自在に、一表面側の端部がバッテリーリッドの縁部に沿って配置されるコネクタカバーとを備え、コネクタカバーは、ケースの厚さ方向のバッテリーリッド側でケースに支持されるベロ部を有する携帯端末装置において、ベロ部２４が、コネクタカバー１０のバッテリーリッド２１側端面から間隔を設けた位置に設けられ、バッテリーリッド２１は、コネクタカバー１０の一表面側の端部に対向する位置にリブ２７を有する。【選択図】図１
2007318507.tif 000002
【特許請求の範囲】
【請求項１】
筐体の一表面を被覆して装着される第１カバー部材と、前記筐体の側面に着脱自在に、前記一表面側の端部が前記第１カバー部材の縁部に沿って配置される第２カバー部材とを備え、前記第２カバー部材は、前記筐体の厚さ方向の前記第１カバー部材側で前記筐体に支持される支持部を有する携帯端末装置において、
前記支持部が、前記第２カバー部材の第１カバー部材側端面から間隔を設けた位置に設けられ、
前記第１カバー部材は、前記第２カバー部材の前記一表面側の端部に対向する位置に係止部を有する
ことを特徴とする携帯端末装置。
【請求項２】
前記係止部は、前記第２カバー部材の長手方向で前記支持部に対応した位置に配置されていることを特徴とする請求項１に記載の携帯端末装置。
【請求項３】
前記支持部は、前記第２カバー部材の長手方向の一端側に配置され、
前記第２カバー部材は、前記長手方向の他端側に、前記筐体に係合する係合部を有することを特徴とする請求項１または２に記載の携帯端末装置。
【請求項４】
前記支持部は、前記第２カバー部材が前記筐体の外部方向へスライド可能に前記筐体に支持されていることを特徴とする請求項１から３のいずれか一項に記載の携帯端末装置。
【請求項５】
前記筐体には、前記支持部が挿入嵌合する切欠き部が形成され、
前記第１カバー部材は、前記筐体にスライド嵌合可能に構成され、
前記係止部は、前記第１カバー部材が前記筐体に対してスライド移動するときに、前記切欠き部を移動するように配置されることを特徴とする請求項１から４のいずれか一項に記載の携帯端末装置。
【発明の詳細な説明】
【技術分野】
【０００１】
本発明は、携帯端末装置に関し、特に、筐体に外部接続端子（コネクタ）が設けられた携帯端末装置に関する。
【背景技術】
【０００２】
従来、携帯端末装置には、例えば、筐体側面に外部接続端子（コネクタ）が設けられており、このコネクタを覆って蓋をするコネクタカバーが設けられている。
図８は、従来の携帯端末装置としての携帯電話機におけるキー側筐体の側面図である。図８に示すように、携帯電話機のキー側筐体の外装を構成するキーリアケース１は、ケース外周面に、例えば２個のコネクタカバー２，３を有している。コネクタカバー２，３は、凹部状のコネクタ（図示しない）を覆って蓋をしている。このキーリアケース１の外表面には、バッテリー格納部（図示しない）を覆うバッテリーリッド４が装着されている。
【０００３】
このコネクタカバー２（３）及びバッテリーリッド４は、キーリアケース１とは別の部品として形成されており、キーリアケース１に取り付けることによりキーリアケース１と一体化して、携帯電話機の外観を形成する。
従来、携帯電話機のような携帯端末装置においては、コネクタカバー２（３）の部品合わせ面を、外装ケース、即ち、キーリアケース１ではなく、バッテリーリッド４と合わせることでケース外観をシンプルに見せていた。このような構成を有するものとして、例えば、「端末装置」（特許文献１参照）がある。この「端末装置」においては、バッテリーリッドとコネクタカバーの合わせ面を同じにした構成を有している。
【特許文献１】特開２００３−１２５０４６号公報
【発明の開示】
【発明が解決しようとする課題】
【０００４】
しかしながら、従来の携帯端末装置は、コネクタカバー２（３）からバッテリーリッド４の底面部までの距離ａ（図８参照）が十分長く取られているが、ケース厚み方向長さが短い薄型モデルを形成しようとすると、バッテリーリッド４も薄くなるばかりでなく距離ａも短くなってしまう。その結果、コネクタカバー２（３）を保持している、キーリアケース１に形成されたカバー保持部５の配置位置を、下げざるを得ない。
【０００５】
図９は、図８のキーリアケースのコネクタカバー保持部を示し、（ａ）は斜視図、（ｂ）は断面図である。図９に示すように、キーリアケース１に突起状に形成されたカバー保持部５（（ａ），（ｂ）参照）は、ケースの薄型化のため下方移動してより下側に位置することになる。
コネクタカバー２（３）は、カバー内面側に略直角に突出するベロ部２ａ（３ａ）を、このカバー保持部５に係止させており、ベロ部２ａ（３ａ）をカバー保持部５に係止させたままコネクタカバー２（３）全体を外側へ引き出すことで、カバー開状態となり、コネクタが露出する。また、カバー保持部５の配置位置がより下側に位置することになっても、コネクタカバー２（３）のカバー厚み方向長さ（厚さ）は、筐体内に配設されるコネクタとの関係から一定の長さを確保しなければならない。
【０００６】
バッテリーリッド４の薄型化に伴い、このカバー保持部５がより下側に位置することに対応して、ベロ部２ａ（３ａ）は、コネクタカバー２（３）の上端ではなく上端から下方にずれて位置することになり、コネクタカバー２（３）は、断面形状が逆Ｌ字状（（ｂ）参照）ではなく、カバー部上端がベロ部２ａ（３ａ）の接続部よりも上方に突出して横向きＴ字状となる。
【０００７】
よって、ケースの薄型化に伴ってカバー保持部５がより下側に位置し、カバー部上端がベロ部２ａ（３ａ）の接続部よりも上方に突出した形状において、コネクタカバー２（３）をめくり上げて開こうとすると、コネクタカバー２（３）はカバー保持部５に係止させたベロ部２ａ（３ａ）の接続部を軸として回動し、カバー部上端がバッテリーリッド４の下方内奥部に入り込んでしまい、コネクタカバー２（３）の開閉動作が難しくなる。
本発明の目的は、開閉を容易且つスムーズに行うことが出来るコネクタカバーなどのカバー部材を備える携帯端末装置を提供することである。
【課題を解決するための手段】
【０００８】
上記目的を達成するため、本発明に係る携帯端末装置は、筐体の一表面を被覆して装着される第１カバー部材と、前記筐体の側面に着脱自在に、前記一表面側の端部が前記第１カバー部材の縁部に沿って配置される第２カバー部材とを備え、前記第２カバー部材は、前記筐体の厚さ方向の前記第１カバー部材側で前記筐体に支持される支持部を有する携帯端末装置において、前記支持部が、前記第２カバー部材の第１カバー部材側端面から間隔を設けた位置に設けられ、前記第１カバー部材は、前記第２カバー部材の前記一表面側の端部に対向する位置に係止部を有することを特徴としている。
【０００９】
また、本発明は、前記係止部は、前記第２カバー部材の長手方向で前記支持部に対応した位置に配置されていることを特徴とすることが好ましい。
また、本発明は、前記支持部は、前記第２カバー部材の長手方向の一端側に配置され、前記第２カバー部材は、前記長手方向の他端側に、前記筐体に係合する係合部を有することを特徴とすることが好ましい。
【００１０】
また、本発明は、前記支持部は、前記第２カバー部材が前記筐体の外部方向へスライド可能に前記筐体に支持されていることを特徴とすることが好ましい。
また、本発明は、前記筐体には、前記支持部が挿入嵌合する切欠き部が形成され、前記第１カバー部材は、前記筐体にスライド嵌合可能に構成され、前記係止部は、前記第１カバー部材が前記筐体に対してスライド移動するときに、前記切欠き部を移動するように配置されることを特徴とすることが好ましい。
【発明の効果】
【００１１】
本発明によれば、第２カバー部材の支持部が第１カバー部材側の端面から間隔を設けた位置に設けられても、開閉を容易且つスムーズに行うことが出来る。
【発明を実施するための最良の形態】
【００１２】
以下、本発明を実施するための最良の形態について図面を参照して説明する。
図１は、本発明の一実施の形態に係るコネクタカバーが装着された携帯端末装置としての携帯電話機１１の開状態を示し、（ａ）は操作キー面側の斜視図、（ｂ）は操作キー面の裏面側の斜視図である。図１に示すように、コネクタカバー１０は、携帯電話機１１のキー側筐体１３に装着されている。
【００１３】
携帯電話機１１は、第１筐体としてのＬＣＤ側筐体１２と、第２筐体としてのキー側筐体１３を備えており、ＬＣＤ側筐体１２とキー側筐体１３は、それぞれの一端部がヒンジ部１４を介して連結されることにより、自在に相互開閉することができる。ＬＣＤ側筐体１２は、フロントケース１５とリアケース１６を重ね合わせて構成され、フロントケース１５には、液晶表示装置（ＬＣＤなど）１７が装着されている。キー側筐体１３は、キーフロントケース１８とキーリアケース１９を重ね合わせて構成され、キーフロントケース１８には、操作キー２０が装着されている。
【００１４】
図２は、図１のキー側筐体１３を背面側から見た斜視図である。図２に示すように、キーリアケース１９の側面には、コネクタカバー１０が装着されており、キーリアケース１９の外表面には、バッテリーが格納されるバッテリー格納部を覆うバッテリーリッド２１が装着されている。つまり、バッテリーリッド（第１カバー部材）２１は、キーリアケース１９の一表面を被覆するように装着されており、コネクタカバー（第２カバー部材）１０は、キーリアケース１９の側面に、キーリアケース１９の一表面（図２における左上面）側端部がバッテリーリッド２１の縁部に沿うように、離脱可能に装着されている。
【００１５】
コネクタカバー１０は、キーリアケース１９に取り付けた後、バッテリーリッド２１により、キーリアケース１９を覆って蓋をすることにより、キーリアケース１９から外れないように固定される。
これらコネクタカバー１０及びバッテリーリッド２１は、キーリアケース１９とは別の部品として形成されており、キーリアケース１９に取り付けることによりキーリアケース１９と一体化して、キーリアケース１９の外観、即ち、携帯電話機１１の外観を形成する。
【００１６】
図３は、キーリアケース１９の分解構成図である。図４は、キーリアケース１９のカバー保持部２５に保持されたコネクタカバー１０を示し、（ａ）はコネクタカバーが挟まってしまう従来の構成を説明する断面図、（ｂ）はリブによりコネクタカバーが挟まるのを防止した本実施形態の構成を説明する断面図である。図５は、キーリアケース１９のカバー保持部２５に保持されたコネクタカバー１０のベロ部２４の係止開口が開けられていない部分の断面図である。
図３に示すように、コネクタカバー１０は、携帯電話機１１のキー側筐体１３の外装を構成するキーリアケース１９のケース外周面に装着され、キーリアケース１９に凹部状に形成されたコネクタ開口部２２を覆って蓋をする。キー側筐体１３は、内部に各種電子部品が実装された図示しない基板が配設されており、このコネクタ開口部２２に対向した基板の実装面上には、充電ケーブルや通信ケーブルなどのケーブル接続端子が接続される外部接続端子部品やコネクタ部品などが実装されており、これらケーブル接続端子はコネクタ開口部２２を挿通されて外部接続端子に接続可能とされている。
【００１７】
コネクタカバー１０は、コネクタ開口部２２を覆う平板状のカバー部２３と、カバー部２３の内面一端側に、カバー部２３の内面から略直角に突出する平板状のベロ部（支持部）２４を有している。つまり、ベロ部２４は、コネクタカバー１０のバッテリーリッド２１側端面（上端部２３ａの上端面）から、間隔を設けた下方位置に接続されるように一体的に設けられている。このベロ部２４には、キーリアケース１９のコネクタ開口部２２に隣接して形成されたカバー保持部２５に係止する、係止開口２６が開けられている。
このコネクタカバー１０は、ベロ部２４により、キーリアケース１９の厚さ方向のバッテリーリッド２１側でキーリアケース１９に支持されている。また、カバー部２３には、ベロ部２４が配設される一端側とは反対の他端側に、コネクタカバー１０の装着時、コネクタ開口部２２が形成されたキーリアケース１９に係合する係合部２３ｂが形成されている。
【００１８】
図３、図４及び図５に示すように、カバー保持部２５は、キーリアケース１９にその背面側に向かって突設されており、軸部２５ａの上端に軸部２５ａをキーリアケース１９の長手方向に拡径した傘状部２５ｂを有している。係止開口２６は、傘状部２５ｂを挿入離脱自在に装着することが出来る矩形開口２６ａと、この矩形開口２６ａに略直交配置されて傘状部２５ｂが離脱不能に係止して軸部２５ａが挿通された状態でスライド可能な矩形開口２６ｂとからなる、略十字形の平面形状を有している。従って、ベロ部２４の係止開口２６がカバー保持部２５に挿通されてコネクタカバー１０がキーリアケース１９に装着されることにより、ベロ部２４をカバー保持部２５に係合させたままベロ部２４をケース外側へスライドさせることにより、キーリアケース１９に取り付けられていたコネクタカバー１０をキー側筐体１３の幅方向（外部方向）へ引き出してキーリアケース１９から離脱させることができる（図４（ｂ）参照）。
【００１９】
つまり、コネクタカバー１０は、キーリアケース１９に形成されてカバー部２３が挿嵌される係合凹部に対向してキーフロントケース１８に設けられた凹部１８ａ（図２参照）により、容易にカバー部２３下端に指をかけることができ、指をかけてカバー部２３をめくり上げることにより、ベロ部２４を引き出してカバー開状態としコネクタ開口部２２を露出させて、キー側筐体１３内に配設されている図示しない外部接続端子にケーブル接続端子を接続させることが可能となる。
このコネクタカバー１０は、ベロ部２４をカバー保持部２５に係止させて、カバー部２３によりコネクタ開口部２２を覆って蓋をしたカバー閉状態のとき、カバー部２３の上端がベロ部２４との接続位置よりも上方に突出する、横向きＴ字状の断面形状を有するように形成されている。
【００２０】
これは、薄型化（ケース厚み方向長さを短くする）のために、バッテリーリッド２１を薄くすると、キーリアケース１９のカバー保持部２５がバッテリーリッド２１と干渉してしまうため、カバー保持部２５を、従来の配置構造と比較して下方に（キーフロントケース１８側に）移動させたことに伴うものである。なお、カバー保持部２５がより下側に位置することになっても、コネクタカバー１０のカバー厚み方向長さ（ケース厚み方向に沿った長さ）は、外部接続端子やケーブル接続端子との関係から一定の長さを確保する必要がある。
この場合、コネクタカバー１０を開こうとすると、コネクタカバー１０はカバー保持部２５に係止させたベロ部２４の接続部位２４ａを軸として回動し、コネクタカバー１０の上端部分２３ａがバッテリーリッド２１の下方空間ｓ（図４（ａ）参照）に入り込んでしまい、コネクタカバー１０の開閉動作をスムーズに行うことが出来ない。
【００２１】
そこで、本実施形態では、コネクタカバー１０の開閉動作をスムーズに行うため、バッテリーリッド２１の裏面、即ち、下方空間ｓ側の面のコネクタカバー１０の上端部分２３ａに対向した位置に、下方空間ｓに向けてリブ（係止部）２７を突設し、コネクタカバー１０の開閉時にコネクタカバー１０の上端部分２３ａがバッテリーリッド２１との合わせ面から、バッテリーリッド２１の下方空間ｓ内に入ってこないようにする。つまり、バッテリーリッド２１は、コネクタカバー１０の一表面側（バッテリーリッド２１側）端部に対向する位置に、コネクタカバー１０上端部２３ａのケース内部側への移動を規制する壁となるリブ２７を有している。リブ２７は、少なくともベロ部２４に対応した位置に壁状に形成することが望ましく、カバー部２３の長手方向の一部或いは全長に対応して形成されていればよい。
【００２２】
図６は、キーリアケース１９の長手方向側面における、バッテリーリッド２１に形成されたリブ２７とキーリアケース１９に形成された切欠き部２８とを示し、（ａ）はリブ２７と切欠き部２８の概略説明図、（ｂ）はリブの移動範囲の概略説明図である。図６に示すように、キーリアケース１９には、コネクタ開口部２２に隣接されて、カバー保持部２５が配設されるとともに、コネクタカバー１０のベロ部２４が装着されて移動するための切欠き部２８が形成されている。そして、この切欠き部２８に対向されるバッテリーリッド２１の裏面にリブ２７が突設されている（（ａ）参照）。
この切欠き部２８は、キーリアケース１９の外表面に切り欠き状に形成されて、リブ２７を挿入嵌合することができ、バッテリーリッド２１がケース（キーリアケース１９）に装着された状態でスライド移動するとき、切欠き部２８を移動するようにリブ２７がバッテリーリッド２１の裏面に配置される。この切欠き部２８は、少なくともバッテリーリッド２１を装着する又は取り外す際のリッドスライド量を確保することが出来る形状及び大きさを有している（（ｂ）参照）。
【００２３】
図７は、コネクタカバー１０に形成した、カバー外れ防止リブ２３ｃとカバー押え凸部３０を説明するコネクタカバー装着部の断面図である。図７に示すように、コネクタカバー１０のカバー部２３の、ベロ部２４が形成された位置の逆側（他端側）の位置には、コネクタカバー１０の合わせ面を含むバッテリーリッド２１の下方空間ｓ（図４（ａ）参照）を塞ぐように、カバー部２３の上端部２３ａからケース内側に突出するようにキーリアケース１９にカバー外れ防止リブ２３ｃが形成されている。このカバー外れ防止リブ２３ｃにより、コネクタカバー１０が、バッテリーリッド２１との合わせ面を簡単に乗り越えて、外れてしまわない構造としている。
【００２４】
また、キーリアケース１９には、コネクタカバー１０の凹部１０ａに係止するカバー押え凸部３０が、コネクタカバー１０側に向けて凸形状となるように突設されている。このカバー押え凸部３０により、薄型化のために肉厚が薄く剛性がないバッテリーリッド２１の代わりに、コネクタカバー１０を押えてコネクタカバー１０のケース厚さ方向での位置固定を行う構造とする。
このように、コネクタカバー１０を取り外す際には、当て付け用のリブ２７により、コネクタカバー１０がバッテリーリッド２１の下面側に入り込むのを阻止して、コネクタカバー１０の取り外し操作に関する操作性が向上する。また、リブ２７により、コネクタカバー１０がバッテリーリッド２１の下面側に入り込むのが阻止されるので、バッテリーリッド２１の浮き上がりを防止することが出来る。
【００２５】
つまり、バッテリーリッド２１とコネクタカバー１０の合わせ面が同じである場合、バッテリーリッド２１にリブ２７を設けることによって、コネクタカバー１０の開閉動作をスムーズに行うことができる。また、バッテリーリッド２１とコネクタカバー１０の合わせ面を同じにすることによって、ケースの薄型化を可能にしている。
即ち、ケースの薄型化を行う場合、コネクタ開口部２２とバッテリーリッド２１の底面までの距離が必然的に小さくなり、コネクタカバー１０とバッテリーリッド２１の合わせ面が近づいてしまう。この場合、コネクタカバー１０とバッテリーリッド２１に挟まれたキーリアケース１９の肉厚が原因でセット厚を薄くできない場合がある。バッテリーリッド２１とコネクタカバー１０の合わせ面を同じにすることで、キーリアケース１９肉厚分の薄型化が可能になる。
【００２６】
また、バッテリーリッド２１とコネクタカバー１０の合わせ面を同じにすることによって、外観をシンプルに見せることが出来る。また、バッテリーリッド２１にリブ２７を設けることで、コネクタカバー１０の開閉動作をスムーズに行うことが出来る。また、カバー外れ防止リブ２３ｃ及びカバー押え凸部３０を設けたことにより、コネクタカバー１０とバッテリーリッド２１及びキーリアケース１９との固定を強化し、コネクタカバー１０が簡単に外れない構造とする。
なお、本発明は、上述した実施の形態により説明したが、この実施の形態に限定されるものではない。従って、本発明の趣旨を逸脱することなく変更態様として実施するものも含むものである。例えば、上述した実施形態では携帯電話機１１及び外部接続端子のためのカバー部材について説明したが、これに限定されることなく、その他の携帯端末装置やその他のカバー部材に適用してもよい。
【図面の簡単な説明】
【００２７】
【図１】本発明の一実施の形態に係るコネクタカバーが装着された携帯端末装置としての携帯電話機１１の開状態を示し、（ａ）は操作キー面側の斜視図、（ｂ）は操作キー面の裏面側の斜視図である。
【図２】図１のキー側筐体１３を背面側から見た斜視図である。
【図３】キーリアケース１９の分解構成図である。
【図４】キーリアケース１９のカバー保持部２５に保持されたコネクタカバー１０を示し、（ａ）はコネクタカバーが挟まってしまう従来の構成を説明する断面図、（ｂ）はリブによりコネクタカバーが挟まるのを防止した本実施形態の構成を説明する断面図である。
【図５】キーリアケース１９のカバー保持部２５に保持されたコネクタカバー１０のベロ部２４の係止開口が開けられていない部分の断面図である。
【図６】キーリアケース１９の長手方向側面における、バッテリーリッド２１に形成されたリブ２７とキーリアケース１９に形成された切欠き部２８とを示し、（ａ）はリブ２７と切欠き部２８の概略説明図、（ｂ）はリブの移動範囲の概略説明図である。
【図７】コネクタカバー１６に形成した、カバー外れ防止リブ２３ｃとカバー押え凸部３０を説明するコネクタカバー装着部の断面図である。
【図８】従来の携帯端末装置としての携帯電話機におけるキー側筐体の側面図である。
【図９】図８のキーリアケースのコネクタカバー保持部を示し、（ａ）は斜視図、（ｂ）は断面図である。
【符号の説明】
【００２８】
１０  コネクタカバー
１１  携帯電話機（携帯端末装置）
１２  ＬＣＤ側筐体
１３  キー側筐体
１４  ヒンジ部
１５  フロントケース
１６  リアケース
１７  液晶表示装置
１８  キーフロントケース
１９  キーリアケース
２０  操作キー
２１  バッテリーリッド
２２  コネクタ開口部
２３  カバー部
２３ａ  カバー部上端部
２３ｂ  係合部
２３ｃ  カバー外れ防止リブ
２４  ベロ部
２５  カバー保持部
２５ａ  軸部
２５ｂ  傘状部
２６  係止開口
２６ａ  矩形開口
２６ｂ  矩形開口
２７  リブ
２８  切欠き部
３０  カバー押え凸部
ｓ  下方空間
【図１】
2007318507.tif 000003
【図２】
2007318507.tif 000004
【図３】
2007318507.tif 000005
【図４】
2007318507.tif 000006
【図５】
2007318507.tif 000007
【図６】
2007318507.tif 000008
【図７】
2007318507.tif 000009
【図８】
2007318507.tif 000010
【図９】
2007318507.tif 000011